(57)【要約】【課題】  遊技機本体と前面枠のそれぞれの開放状態の検出を一つのセンサで可能とした遊技機を提供することことにある。【解決手段】  外枠１に対して開閉可能に支持されたパチンコ機本体４と、同パチンコ機本体４に対して開閉可能に装着された扉枠１５とを備えたパチンコ機において、前記パチンコ機本体４と扉枠１５とが閉塞状態にある場合に扉枠１５に配設したリミットスイッチ５１がパチンコ機本体４に形成した透孔５５を通して外枠１に当接し、パチンコ機本体４又は扉枠１５が開放されることでリミットスイッチ５１と外枠１との当接状態が解除されるようにした。【選択図】      図２
2012120933.tif 000002
【特許請求の範囲】
【請求項１】
支持枠体と、同支持枠体に対して開閉可能に支持され遊技面が形成された遊技盤と遊技
球発射機構とを備えた遊技機本体と、同遊技盤の前面に配置され同遊技機本体に対して開
閉可能に装着された前面枠とを備えた遊技機において、
前記遊技機本体及び前面枠が前記支持枠体に対して閉塞状態にある場合に同支持枠体又
は前面枠のいずれか一方側に配設したセンサの検出部と同支持枠体又は前面枠のいずれか
他方側の被検出部とを同遊技機本体を間に介在させた状態で接触、押圧あるいは近接させ
るとともに、同遊技機本体又は前面枠のいずれかが開放されることで同被検出部の検出部
に対する接触、押圧あるいは近接状態が解除されるようにしたことを特徴とする遊技機。
【請求項２】
支持枠体と、同支持枠体に対して開閉可能に支持され遊技面が形成された遊技盤と遊技
球発射機構とを備えた遊技機本体と、同遊技盤の前面に配置され同遊技機本体に対して開
閉可能に装着された前面枠とを備えた遊技機において、
前記遊技機本体には前後方向にスライド移動して端部が外方に露出するスライド部材を
装着し、
前記遊技機本体及び前面枠が前記支持枠体に対して閉塞状態にある場合に同支持枠体又
は前面枠のいずれか一方側の被検出部を、同スライド部材の一端と当接させ、これに連動
して同スライド部材の他端をいずれか他方の支持枠体又は前面枠に配設したセンサの検出
部に接触、押圧あるいは近接させるとともに、同遊技機本体又は前面枠のいずれかが開放
されることで同スライド部材の他端の同検出部に対する接触、押圧あるいは近接状態が解
除されるようにしたことを特徴とする遊技機。
【請求項３】
支持枠体と、遊技面が形成された遊技盤と遊技球発射機構とを備えるとともに、同遊技
盤の裏面側に制御機構を備えた開閉盤を開閉可能に装着した同支持枠体に対して開閉可能
に支持された遊技機本体と、同遊技盤の前面に配置され同遊技機本体に対して開閉可能に
装着された前面枠とを備えた遊技機において、
前記開閉盤及び前面枠が前記遊技機本体に対して閉塞状態にある場合に同開閉盤又は前
面枠のいずれか一方側に配設したセンサの検出部と同開閉盤又は前面枠のいずれか他方側
の被検出部とを同遊技機本体を間に介在させた状態で接触、押圧あるいは近接させるとと
もに、同開閉盤又は前面枠のいずれかが開放されることで同被検出部の検出部に対する接
触、押圧あるいは近接状態が解除されるようにしたことを特徴とする遊技機。
【請求項４】
支持枠体と、遊技面が形成された遊技盤と遊技球発射機構とを備えるとともに、同遊技
盤の裏面側に制御機構を備えた開閉盤を開閉可能に装着した同支持枠体に対して開閉可能
に支持された遊技機本体と、同遊技盤の前面に配置され同遊技機本体に対して開閉可能に
装着された前面枠とを備えた遊技機において、
前記遊技機本体には前後方向にスライド移動して端部が外方に露出するスライド部材を
装着し、
前記開閉盤及び前面枠が前記支持枠体に対して閉塞状態にある場合に同開閉盤又は前面
枠のいずれか一方側の被検出部を、同スライド部材の一端と当接させ、これに連動して同
スライド部材の他端をいずれか他方の開閉盤又は前面枠に配設したセンサの検出部に接触
、押圧あるいは近接させるとともに、同開閉盤又は前面枠のいずれかが開放されることで
同スライド部材の他端の同検出部に対する接触、押圧あるいは近接状態が解除されるよう
にしたことを特徴とする遊技機。
【発明の詳細な説明】
【技術分野】
【０００１】
本発明は遊技機に関し、特に遊技機本体と前面枠を開閉する際に開閉状態を検出できる
センサを備えた遊技機に関するものである。
【背景技術】
【０００２】
遊技機の一種である例えばパチンコ機においては遊技機本体としてのパチンコ機本体や
前面枠としての扉枠やガラス枠（以下扉枠等という）を開放した場合には管理室において
開放の有無を報知とその時間を記録するようになっている。これは機器の保守・点検のた
めにホール側で開放する場合もあるが、主として遊技者側の不正を防止する観点から行わ
れているものである。遊技者は釘を入りやすく調整したり、不正にセーフ球とするために
扉枠等を開放する不正を行う。また、もっと大がかりな場合には制御機構内のＲＯＭを入
れ替え（いわゆる裏ＲＯＭの不正使用）るためにパチンコ機本体を開放する。
開放の有無は具体的には扉枠等とパチンコ機本体との間に扉枠等の開放を検出する第１
のセンサを配設し、支持枠体としての外枠とパチンコ機本体との間にパチンコ機本体の開
放を検出する第２のセンサを配設する。
また、機種によってはパチンコ機本体に開閉盤としてのセット盤が開閉可能に装着され
、このセット盤の基盤ボックス内に制御機構が設けられているものがある。この場合には
裏ＲＯＭの不正使用はパチンコ機本体に対してセット盤を開放し、基盤ボックスを取り外
して行われるためパチンコ機本体とセット盤との間にパチンコ機本体の開放を検出する第
２のセンサを配設する必要がある。
【発明の概要】
【発明が解決しようとする課題】
【０００３】
しかしながら、上記のように２つのセンサを配設するのは、コストアップにつながり、
装着作業も両方行うこととなりこの点でもコストアップとなる。
本発明は、このような従来の技術に存在する問題点に着目してなされたものである。そ
の第１の目的とするところは、遊技機本体と前面枠のそれぞれの開放状態の検出を一つの
センサで可能とした遊技機を提供することにあり、第２の目的とするところは、開閉盤と
前面枠のそれぞれの開放状態の検出を一つのセンサで可能とした遊技機を提供するもので
ある。
【課題を解決するための手段】
【０００４】
上記の目的を達成するために、請求項１に記載の発明では、支持枠体と、同支持枠体に
対して開閉可能に支持され遊技面が形成された遊技盤と遊技球発射機構とを備えた遊技機
本体と、同遊技盤の前面に配置され同遊技機本体に対して開閉可能に装着された前面枠と
を備えた遊技機において、前記遊技機本体及び前面枠が前記支持枠体に対して閉塞状態に
ある場合に同支持枠体又は前面枠のいずれか一方側に配設したセンサの検出部と同支持枠
体又は前面枠のいずれか他方側の被検出部とを同遊技機本体を間に介在させた状態で接触
、押圧あるいは近接させるとともに、同遊技機本体又は前面枠のいずれかが開放されるこ
とで同被検出部の検出部に対する接触、押圧あるいは近接状態が解除されるようにしたこ
とをその要旨とする。
このような構成では、支持枠体に対して遊技機本体及び前面枠とが閉塞状態にある場合
に、支持枠体又は前面枠のいずれか一方に配設されたセンサの検出部が遊技機本体を間に
介在させた状態でいずれか他方の支持枠体又は前面枠の被検出部に対して接触、押圧ある
いは近接させられる。
ここに、遊技機本体を間に介在させた状態とは遊技機本体の厚みがあるにもかかわらず
高感度のセンサで検出する場合や、遊技機本体に連通路を形成し、この連通路を介する場
合等を含む。
また、被検出部とはいずれか他方の支持枠体又は前面枠それ自体であってもよいし、こ
れらに併設した別部材であってもよい。また例えば連通路方向に突設されたブラケットの
ようなものであってもよい。
前面枠を開放すると、センサの検出部あるいは被検出部と支持枠体側の検出部あるいは
被検出部とが離間して接触、押圧あるいは近接状態が解除される。これによって開放され
たことが認識される。また、前面枠もろとも遊技機本体を開放すると、前面枠は遊技機本
体に装着されているため上記と同様支持枠体側の被検出部に対して接触、押圧あるいは近
接状態が解除される。これによって開放されたことが認識される。
【０００５】
請求項２に記載の発明では、支持枠体と、同支持枠体に対して開閉可能に支持され遊技
面が形成された遊技盤と遊技球発射機構とを備えた遊技機本体と、同遊技盤の前面に配置
され同遊技機本体に対して開閉可能に装着された前面枠とを備えた遊技機において、前記
遊技機本体には前後方向にスライド移動して端部が外方に露出するスライド部材を装着し
、前記遊技機本体及び前面枠が前記支持枠体に対して閉塞状態にある場合に同支持枠体又
は前面枠のいずれか一方側の被検出部を、同スライド部材の一端と当接させ、これに連動
して同スライド部材の他端をいずれか他方の支持枠体又は前面枠に配設したセンサの検出
部に接触、押圧あるいは近接させるとともに、同遊技機本体又は前面枠のいずれかが開放
されることで同スライド部材の他端の同検出部に対する接触、押圧あるいは近接状態が解
除されるようにしたことをその要旨とする。
このような構成では、支持枠体に対して遊技機本体及び前面枠とが閉塞状態にある場合
に、支持枠体又は前面枠のいずれか一方に配設された被検出部が遊技機本体に装着された
スライド部材の一端に当接する。スライド部材は押動されてその他端がいずれか他方の支
持枠体又は前面枠のセンサの検出部に接触、押圧あるいは近接させられる。
前面枠を開放すると、スライド部材への押動作用がなくなるためセンサの検出部は被検
出部から離間し接触、押圧あるいは近接状態が解除される。これによって開放されたこと
が認識される。また、前面枠もろとも遊技機本体を開放すると、前面枠は遊技機本体側に
装着されているためスライド部材は押動状態ではあるものの他端によるいずれか他方の支
持枠体又は前面枠のセンサの検出部への接触、押圧あるいは近接状態が解除される。これ
によって開放されたことが認識される。
【０００６】
請求項３に記載の発明では、支持枠体と、遊技面が形成された遊技盤と遊技球発射機構
とを備えるとともに、同遊技盤の裏面側に制御機構を備えた開閉盤を開閉可能に装着した
同支持枠体に対して開閉可能に支持された遊技機本体と、同遊技盤の前面に配置され同遊
技機本体に対して開閉可能に装着された前面枠とを備えた遊技機において、前記開閉盤及
び前面枠が前記遊技機本体に対して閉塞状態にある場合に同開閉盤又は前面枠のいずれか
一方側に配設したセンサの検出部と同開閉盤又は前面枠のいずれか他方側の被検出部とを
同遊技機本体を間に介在させた状態で接触、押圧あるいは近接させるとともに、同開閉盤
又は前面枠のいずれかが開放されることで同被検出部の検出部に対する接触、押圧あるい
は近接状態が解除されるようにしたことをその要旨とする。
このような構成では、遊技機本体に対して開閉盤及び前面枠が閉塞状態にある場合に、
開閉盤又は前面枠のいずれか一方に配設されたセンサの検出部が遊技機本体に形成された
連通路を介していずれか他方の開閉盤又は前面枠の被検出部に対して接触、押圧あるいは
近接させられる。ここに、遊技機本体を間に介在させた状態とは遊技機本体の厚みがある
にもかかわらず高感度のセンサで検出する場合や、遊技機本体に連通路を形成し、この連
通路を介する場合等を含む。
また、被検出部とはいずれか他方の開閉盤又は前面枠それ自体であってもよいし、これ
らに併設した別部材、例えば連通路方向に突設されたブラケットのようなものであっても
よい。
前面枠を開放すると、センサの検出部あるいは被検出部と支持枠体側の検出部あるいは
被検出部とが離間して接触、押圧あるいは近接状態が解除される。これによって開放され
たことが認識される。また、開閉盤を開放すると、前面枠は遊技機本体側に装着されてい
るため上記と同様支持枠体側の被検出部に対して接触、押圧あるいは近接状態が解除され
る。これによって開放されたことが認識される。
【０００７】
請求項４に記載の発明では、支持枠体と、遊技面が形成された遊技盤と遊技球発射機構
とを備えるとともに、同遊技盤の裏面側に制御機構を備えた開閉盤を開閉可能に装着した
同支持枠体に対して開閉可能に支持された遊技機本体と、同遊技盤の前面に配置され同遊
技機本体に対して開閉可能に装着された前面枠とを備えた遊技機において、前記遊技機本
体には前後方向にスライド移動して端部が外方に露出するスライド部材を装着し、前記開
閉盤及び前面枠が前記支持枠体に対して閉塞状態にある場合に同開閉盤又は前面枠のいず
れか一方側の被検出部を、同スライド部材の一端と当接させ、これに連動して同スライド
部材の他端をいずれか他方の開閉盤又は前面枠に配設したセンサの検出部に接触、押圧あ
るいは近接させるとともに、同開閉盤又は前面枠のいずれかが開放されることで同スライ
ド部材の他端の同検出部に対する接触、押圧あるいは近接状態が解除されるようにしたこ
とをその要旨とする。
このような構成では、遊技機本体に対して開閉盤及び前面枠が閉塞状態にある場合に、
開閉盤又は前面枠のいずれか一方に配設された被検出部が遊技機本体に装着されたスライ
ド部材の一端に当接する。スライド部材は押動されてその他端がいずれか他方の開閉盤又
は前面枠のセンサの検出部に接触、押圧あるいは近接させられる。
前面枠を開放すると、スライド部材への押動作用がなくなるためセンサの検出部は被検
出部から離間し接触、押圧あるいは近接状態が解除される。これによって開放されたこと
が認識される。また、開閉盤を開放すると、前面枠は遊技機本体側に装着されているため
スライド部材は押動状態ではあるものの他端によるいずれか他方の支持枠体又は前面枠の
センサの検出部への接触、押圧あるいは近接状態が解除される。これによって開放された
ことが認識される。
【発明の効果】
【０００８】
請求項１及び２に記載された発明では、前面枠又は遊技機本体の開放の有無を１つのセ
ンサのみで検出することができるため、コストの削減に寄与できる。また、請求項３及び
４に記載された発明では、前面枠又は開閉盤の開放の有無を１つのセンサのみで検出する
ことができるため、コストの削減に寄与できる。
【図面の簡単な説明】
【０００９】
【図１】本発明の実施の形態１及び２のパチンコ機の正面図。
【図２】実施の形態１のパチンコ機の扉枠を開放した状態の斜視図。
【図３】実施の形態２のパチンコ機の扉枠を開放した状態の斜視図。
【図４】実施の形態１及び２のパチンコ機における裏面図。
【図５】実施の形態１のパチンコ機における部分拡大平面図。
【図６】実施の形態１のパチンコ機における部分拡大平面図。
【図７】実施の形態１のパチンコ機における部分拡大平面図。
【図８】実施の形態１のパチンコ機における扉枠裏面の部分拡大斜視図。
【図９】実施の形態１のパチンコ機において扉枠及びパチンコ機本体を閉塞したときのリミットスイッチの配置状態を説明する概念図。
【図１０】実施の形態２のパチンコ機における部分平面図。
【図１１】実施の形態２のパチンコ機における部分拡大平面図。
【図１２】実施の形態２のパチンコ機における部分拡大平面図。
【図１３】実施の形態２のパチンコ機における部分拡大平面図。
【図１４】実施の形態２のパチンコ機においてパチンコ機本体にセット盤を閉塞させたときのリミットスイッチ及び中間スイッチの配置関係を説明する部分断面図。
【図１５】実施の形態２のパチンコ機における中間スイッチの断面図であって、      （ａ）はスライドピンがリミットスイッチにも扉枠にも接していない状態  （ｂ）スライドピンがリミットスイッチ及び扉枠に接した状態  （ｃ）はスライドピンが扉枠に接しいるがリミットスイッチに接していない状態。
【図１６】他の実施の形態のパチンコ機において扉枠及びパチンコ機本体を閉塞したときのリミットスイッチの配置状態を説明する概念図。
【図１７】他の実施の形態のパチンコ機において扉枠及びパチンコ機本体を閉塞したときのリミットスイッチ及び中間スイッチの配置状態を説明する概念図。
【図１８】他の実施の形態のパチンコ機において扉枠及びパチンコ機本体を閉塞したときのリミットスイッチの配置状態を説明する概念図。
【図１９】他の実施の形態のパチンコ機において扉枠及びパチンコ機本体を閉塞したときの光センサの配置状態を説明する概念図。
【図２０】他の実施の形態のパチンコ機において扉枠及びパチンコ機本体を閉塞したときの近接スイッチの配置状態を説明する概念図。
【図２１】他の実施の形態のパチンコ機において扉枠及びパチンコ機本体を閉塞したときの近接スイッチの配置状態を説明する概念図。
【発明を実施するための形態】
【００１０】
以下、本発明をパチンコ機に応用した実施の形態１及び２について図面に基づいて説明
する。まず、主として図１〜図４に基づいてパチンコ機の概略を説明し、その後実施の形
態１及び２それぞれの固有の構成について説明する。尚、以下の説明で前面側或いは表面
側とは遊技者が正対する側をいい、後面側或いは背面側とはその反対側をいうものとする
。また図４における説明では裏面側からみた左右方向をそれぞれ左右とする。
図１〜図４に示すように、パチンコ遊技機の支持枠体としての外枠１は上下左右の各枠
板１ａ〜１ｄによって四角形に枠組みされた木製の枠体とされている。下部枠板１ｂ上面
には幕板２が配設されている。図２及び図３に示すように、外枠１には遊技機本体として
のパチンコ機本体４が装着されている。パチンコ機本体４はヒンジ金具６の回動軸６ａを
中心に回動し外枠１に対して開閉可能とされている。パチンコ機本体４の上半身には遊技
盤５が装着されている。図１〜図３に示すように、遊技盤５の前面にはほぼ垂直に配置さ
れた遊技面９が形成されている。遊技面９上には内レール１０、外レール１１、入賞口１
２及び可変表示装置１３等が所定位置に配置された遊技領域１４が形成されている。尚、
釘については図示が省略されている。遊技盤５の周囲は額縁状の扉枠支持フレーム７にて
包囲されている。扉枠支持フレーム７はパチンコ機本体４と一体的に形成されている。扉
枠支持フレーム７の上部前面には水平方向に３つのランプ８が配設されている。
【００１１】
図４に示すように、遊技盤５の背面側には開閉可能に開閉盤としてのセット盤２２がパ
チンコ機本体４に対して開閉可能に装着されている。セット盤２２は上下に配設されたヒ
ンジ部２３によってパチンコ機本体４に支持されており、盤面に散点的に配置された開閉
ピン２６の引き出し及び押し込みによってパチンコ機本体４に着脱される。セット盤２２
の中央付近には可変表示装置１３の制御を行う制御機構としての図柄表示装置ユニット３
１が配設されている。同ユニット３１に隣接して賞球の排出等のパチンコ機の電子的制御
を行う制御機構としての制御装置ユニット３２が配設されている。同両ユニット３１，３
２の上方には賞球タンク３３が配設されている。賞球タンク３３の右方には入出力基盤３
４が配設されている。入出力基盤３４の下方には球払い出し機構Ｐが配設されている。球
払い出し機構Ｐの下方にはセーフ球処理機構Ｑが配設されている。セット盤２２の下方に
は遊技球発射機構Ｒが配設されている。
【００１２】
図１〜図３に示すように、遊技盤５の前面には前面枠としての扉枠１５が配設されてい
る。扉枠１５はヒンジ金具６の回動軸６ａを中心に回動しパチンコ機本体４に対して開閉
可能とされている。扉枠１５は閉じられた状態で前記扉枠支持フレーム７に当接する。扉
枠１５はほぼ正方形の外形を有し、中央にほぼ正方形の大型の窓穴１６が形成されている
。扉枠１５上方の上梁１９には水平方向に３つの透孔２４が形成されている。透孔２４は
前記扉枠支持フレーム７のランプ８に対応しており、扉枠１５を閉じた時に各ランプ８が
対応する透孔２４内に配置される。上梁１９前面には半透明の装飾パネル２５が配設され
、同透孔２４を覆っている。ランプ８の光は同透孔２４を通して光透過性の装飾パネル２
５を明るく照らし出す。左縦枠２１には鍵穴２７を（図１参照）露出させるための台形の
大きな切り欠き２８が形成されている。
図２及び図３に示すように、扉枠１５の背面側には同窓穴１６の全周囲に渡って同窓穴
１６を包囲する金属製の補強フレーム２９が配設されている。
【００１３】
扉枠１５の下方には上部カバープレート３５が装着されている。上部カバープレート３
５はパチンコ機本体４に対して図示しないヒンジ金具によって片持ち支持され同パチンコ
機本体４に対して開閉可能とされている。上部カバープレート３５は前方に突出形成され
、上面に上受け皿３６が載置されている。上部カバープレート３５の下方には下部カバー
プレート３７が配設されている。下部カバープレート３７はパチンコ機本体４に対して固
着されている。下部カバープレート３７は前方に突出形成され、上面に下受け皿３８が載
置されている。下受け皿３８は主として上受け皿３６に貯留しきれなかった遊技球を貯留
するものである。下部カバープレート３７には灰皿４０が装着されている。下受け皿３８
の右側方には操作ハンドル３９が取付けられている。
【００１４】
（実施の形態１）
以下実施の形態１の固有の構成について説明する。
図２、図８及び図９に示すように、前記上梁１９内部であってヒンジ金具６の回動軸６
ａ寄り位置にはセンサとしてのリミットスイッチ５１が配設されている。リミットスイッ
チ５１は上梁１９内部の設置台５２に固着されている。リミットスイッチ５１は同設置台
５２上に設置された本体５１ａと検出部としてのレバー５１ｂとを備えている。レバー５
１ｂは前後方向に進退可能とされており、図示しない内部のスプリングによって後方側（
つまりレバー５１ｂ先端側）に付勢されている。図２及び図７に示すように、レバー５１
ｂは上梁１９に形成された開口部５３から後方に向かって突出させられている。
図２、図５〜図７及び図９等に示すように、扉枠支持フレーム７にはリミットスイッチ
５１のレバー５１ｂを挿入するための透孔５５が形成されている。透孔５５はトンネル状
に前後面に連通されており、図７に示すように、扉枠１５をパチンコ機本体４に装着した
状態においてレバー５１ｂは同透孔５５に挿入されてその先端が後方側に露出される。ま
た、図５及び図９に示すように扉枠１５及びパチンコ機本体４が閉塞された状態ではレバ
ー５１ｂは外枠１の上部枠板１ａの前面に当接し、図示しないスプリングの付勢力に抗し
て前方方向（本体５１ａ方向）に押し込まれた状態で保持される。
【００１５】
このような構成の実施の形態１のパチンコ機の作用について説明する。
図１のパチンコ機本体４と扉枠１５を完全に閉塞した状態（つまり、通常の遊技可能状
態）においては図５及び図９に示すように、リミットスイッチ５１のレバー５１ｂは外枠
１の上部枠板１ａの前面に当接している。本実施の形態ではこのレバー５１ｂが本体５１
ａ方向に押し込まれた状態はリミットスイッチ５１が入力されていない非検出の状態とさ
れる。
まず、扉枠１５のみを開放させると図６に示すように開放にともないリミットスイッチ
５１のレバー５１ｂは透孔５５から抜け出、外枠１の上部枠板１ａによる押動作用が解消
されるため図示しないスプリングの付勢力によって復帰する。すなわち、リミットスイッ
チ５１が入力されて扉枠１５が開放されたことが検出される。
また、パチンコ機本体４を開放させると扉枠１５も同時に開放することとなり、図７に
示すようにリミットスイッチ５１のレバー５１ｂは透孔５５内に配置されたままではある
が、外枠１の上部枠板１ａによる押動作用が解消され図示しないスプリングの付勢力によ
って復帰する。すなわち、リミットスイッチ５１が入力されてパチンコ機本体４が開放さ
れたことが検出される。
【００１６】
このように構成することにより本実施の形態１は次のような効果を奏する。
（１）扉枠１５及びパチンコ機本体４のそれぞれが開放されたことをチェックするため
にそれぞれにセンサが必要であるところ、１つのリミットスイッチ５１によっていずれが
開放されたことも検出できることとなり、２つのセンサを使用していた従来に比べコスト
が削減され、その装着作業や保守・点検も軽減されるためトータルとしてパチンコ機のコ
ストが削減される。
（２）リミットスイッチ５１のレバー５１ｂは透孔５５を通して外枠１の上部枠板１ａ
に当接するため、扉枠１５及びパチンコ機本体４が閉塞された状態では外からいたずらに
触わることも目視することもできない。
（３）不正遊技をたくらむ者は例えば扉枠１５を少しだけ開放して指を入れてリミット
スイッチ５１のレバー５１ｂを押さえることでリミットスイッチ５１が入力されるのを阻
止しようとする可能性がある。ところが、このように透孔５５位置がヒンジ金具６寄りに
、かつ上梁１９に形成されているため、非常に指が入れにくく、またレバー５１ｂも目視
しにくいため不正遊技防止に大きく貢献する。
【００１７】
（実施の形態２）
以下実施の形態２の固有の構成について説明する。
図１０〜図１４に示すように、前記パチンコ機本体４の上部中央寄りには中間スイッチ
６１が配設されている。図１５（ａ）〜図１５（ｃ）に示すように、中間スイッチ６１は
本体ケース６２とスライド部材としてのスライドピン６３とコイルスプリング６４とより
構成されている。本体ケース６２の前後面壁６５，６６にはそれぞれ開口部６５ａ，６６
ａが形成され、スライドピン６３は同両開口部６５ａ，６６ａ間にスライド可能に懸架さ
れている。スライドピン６３の前端寄りには小フランジ６３ａが形成されている、コイル
スプリング６４は前面壁６５と小フランジ６３ａ間に配置されて小フランジ６３ａを介し
てスライドピン６３を前面壁６５方向に付勢している。この付勢状態において図３に示す
ように、スライドピン６３の前端はパチンコ機本体４に形成された透孔４ａから前方に突
出させられている。
【００１８】
セット盤２２の裏面側にはセンサとしてのリミットスイッチ６７が配設されている。リ
ミットスイッチ６７はセット盤２２に直接図示しない締結部材で固着されている。図１１
〜図１３及び図１５（ａ）〜図１５（ｃ）に示すように、リミットスイッチ６７は本体６
７ａと検出部としてのレバー６７ｂを備えており、同レバー６７ｂはセット盤２２に開口
された開口部２２ａから前方に向かって露出されている。パチンコ機本体４に閉塞された
状態で開口部２２ａは上記透孔４ａと前後方向に重複して配置される。
パチンコ機本体４に対して扉枠１５及びセット盤２２が閉塞状態にある図１０に示す状
態ではスライドピン６３の前端は図１５（ｂ）に示すように扉枠１５（の上梁１９）によ
って押動されてスライドピン６３の後端がリミットスイッチ６７のレバー６７ｂを押動す
る。一方、図１５（ａ）に示すように扉枠１５の押動がなくなるとコイルスプリング６４
の付勢力によってスライドピン６３は前方にスライド移動し、リミットスイッチ６７のレ
バー６７ｂと干渉しなくなる。
【００１９】
このような構成の実施の形態２のパチンコ機の作用について説明する。
図１０のパチンコ機本体４に対して扉枠１５とセット盤２２を完全に閉塞した状態にお
いては図１５（ｂ）に示すように、リミットスイッチ６７のレバー６７ｂはスライドピン
６３の後端によって押動されている。本実施の形態ではこのレバー６７ｂが本体６７ａ方
向に押された状態はリミットスイッチ６７が入力されていない非検出の状態とされる。
まず、扉枠１５のみを開放させると図１２及び図１５（ａ）に示すように開放にともな
い扉枠１５のスライドピン６３に対する押動作用がなくなるためスライドピン６３はコイ
ルスプリング６４の付勢力によって前方にスライド移動し、リミットスイッチ６７のレバ
ー６７ｂと干渉しなくなる。すなわち、リミットスイッチ６７が入力されて扉枠１５が開
放されたことが検出される。
また、図１３のように扉枠１５を閉塞したままでセット盤２２のみを開放させるとスラ
イドピン６３の後端のリミットスイッチ６７のレバー６７ｂへの押動が解消される。すな
わち、リミットスイッチ５１が入力されてセット盤２２が開放されたことが検出される。
但し扉枠１５を閉塞したままなので扉枠１５のスライドピン６３に対する押動作用は維持
されたままである（図１５（ｃ）参照）。
【００２０】
このように構成することにより本実施の形態１は次のような効果を奏する。
（１）扉枠１５とセット盤２２のそれぞれが開放されたことをチェックするためにそれ
ぞれにセンサが必要であるところ、１つのリミットスイッチ６７によっていずれが開放さ
れたことも検出できることとなり、２つのセンサを使用していた従来に比べコストが削減
され、その装着作業や保守・点検も軽減されるためトータルとしてパチンコ機のコストが
削減される。
（２）扉枠１５とセット盤２２との間隔がパチンコ機本体４を挟んで開いているため、
リミットスイッチ６７を入り切りしにくいところ、スライドピン６３が中間に介在されて
いるため、従来からの既存のリミットスイッチ６７であっても正確に入り切りすることが
できる。
（３）リミットスイッチ６７のレバー６７ｂは透孔５５を通して外枠１の上部枠板１ａ
に当接するため、扉枠１５及びパチンコ機本体４が閉塞された状態では外からいたずらに
触わることも目視することもできない。
（４）不正遊技をたくらむ者は例えば扉枠１５を少しだけ開放して指を入れてリミット
スイッチ６７のレバー６７ｂを押さえることでリミットスイッチ６７が入力されるのを阻
止しようとする可能性がある。ところが、このように中間スイッチ６１配設位置が開放口
から離間した中央寄り、かつ上梁１９に形成されているため、非常に指が入れにくく、ま
たレバー６７ｂも目視しにくいため不正遊技防止に大きく貢献する。
【００２１】
尚、この発明は、次のように変更して具体化することも可能である。
・実施の形態１のように外枠１に対して扉枠１５とパチンコ機本体４との開閉を検出す
る場合において実施の形態２のような中間スイッチ６１をパチンコ機本体４に配設しても
構わない。
・図１６に示すように、外枠１の上部枠板１ａから被検出部としてのブラケット７１を
前方に向かって延出させ、扉枠１５及びパチンコ機本体４を閉塞した状態でリミットスイ
ッチ５１のレバー５１ｂとブラケット７１とが透孔５５内で当接するようにしてもよい。
このように構成すれば、レバー５１ｂをそれほど長く構成しなくともよくなる。
・図１７に示すように、実施の形態２におけるリミットスイッチ６７をセット盤２２側
ではなく扉枠１５側に配設するようにしても構わない。
・図１８に示すように、図１６のリミットスイッチ５１とブラケット７１との装着位置
を逆転させて構成してもよい。
・図１９に示すように、リミットスイッチ５１の代わりに光センサ７３を使用し、外枠
１の上部枠板１ａには扉枠１５及びパチンコ機本体４を閉塞した状態で光センサ７３の光
軸を遮るブラケット７４を装着するようにしてもよい。もちろん、光センサ７３とブラケ
ット７４の装着位置を逆転させてもよい。
・図２０に示すように、リミットスイッチ５１、光センサ７３の代わりに近接スイッチ
７５を使用し、外枠１の上部枠板１ａに近接スイッチ７５に近接する鉄製のブラケット７
６を装着するようにしてもよい。もちろん、近接スイッチ７５とブラケット７６の装着位
置を逆転させてもよい。
・図２１に示すように、高感度の近接スイッチ７５を使用することで、透孔５５を設け
ずともパチンコ機本体４を間に介在させて外枠１側の金属プレート７７を検出するように
してもよい。もちろん、近接スイッチ７５と金属プレート７７の装着位置を逆転させても
よい。
・透孔５５は扉枠１５及びパチンコ機本体４を閉塞した状態では外部から目視不能とな
っていたが、これを外部から目視できる切り欠き状に形成しても構わない。
・例えば上記実施の形態１ではセンサとしてのリミットスイッチ５１を上方に配設した
が、扉枠１５、パチンコ機本体４及び外枠１が重複する位置であるならばいずれに配設し
ても構わない。
・上記実施の形態２の中間スイッチ６１は他の構成としても構わない。例えば、上記で
はコイルスプリング６４を配設していたが、これは必ずしもなくとも構わない。また、ス
ライドピン６３は一体の棒体で構成されていたが、必ずしも棒体形状でなくともよく、一
本で構成されていなくとも構わない。
・本発明はパチンコ機以外にもアレパチ、アレンジボール等の遊技機にも応用可能であ
る等その他、本発明の趣旨を逸脱しない態様で実施することは自由である。
【００２２】
上記実施の形態から把握できる本発明のその他の技術的思想について下記に付記とし
て説明する。
（１）前記遊技機本体及び前面枠が前記支持枠体に対して閉塞状態にある場合に同支持
枠体又は前面枠のいずれか一方側に配設したセンサの検出部と同支持枠体又は前面枠のい
ずれか他方側の被検出部とを同遊技機本体に形成された連通路を介して接触、押圧あるい
は近接させるようにしたことを特徴とする請求項１に記載の遊技機。
（２）前記開閉盤及び前面枠が前記遊技機本体に対して閉塞状態にある場合に同開閉盤
又は前面枠のいずれか一方側に配設したセンサの検出部と同開閉盤又は前面枠のいずれか
他方側の被検出部とを同遊技機本体に形成された連通路を介して接触、押圧あるいは近接
させるようにしたことを特徴とする請求項３に記載の遊技機。
（３）前記遊技機本体に形成された連通路は左右いずれかの開閉口から離間した位置に
形成されていることを特徴とする付記１又は２に記載の遊技機。
（４）前記遊技機本体に装着されたスライド部材は左右いずれかの開閉口から離間した
位置に形成されていることを特徴とする請求項２又は４に記載の遊技機。
（５）前記連通路は前記遊技盤及び前面枠が前記支持枠体に対して閉鎖状態にある場合
には外部から目視不能であることを特徴とする付記１〜３のいずれかに記載の遊技機。
（６）前記センサの検出部と前記被検出部材とは前記連通路内にて検出状態となること
を特徴とする付記１〜３、５のいずれかに記載の遊技機。
（７）スライド部材は付勢手段によっていずれか一方の端部方向に付勢されていること
を特徴とする請求項２又は４若しくは付記４のいずれかに記載の遊技機。
【符号の説明】
【００２３】
１…支持枠体としての外枠、１ａ…被検出部としての上部枠板、４…遊技機本体として
のパチンコ機本体、５…遊技盤、９…遊技面、１５…前面枠としての扉枠、２２…開閉盤
としてのセット盤、５１…センサとしてのリミットスイッチ、５１ｂ…検出部としてのレ
バー、５５…連通路としての透孔、６１…中間スイッチ、６３…スライド部材としてのス
ライドピン、６７…センサとしてのリミットスイッチ、６７ｂ…検出部としてのレバー、
７１，７４，７６…被検出部としてのブラケット、７３…センサとしての光センサ、７５
…センサとしての近接スイッチ。
【図１】
2012120933.tif 000003
【図２】
2012120933.tif 000004
【図３】
2012120933.tif 000005
【図４】
2012120933.tif 000006
【図５】
2012120933.tif 000007
【図６】
2012120933.tif 000008
【図７】
2012120933.tif 000009
【図８】
2012120933.tif 000010
【図９】
2012120933.tif 000011
【図１０】
2012120933.tif 000012
【図１１】
2012120933.tif 000013
【図１２】
2012120933.tif 000014
【図１３】
2012120933.tif 000015
【図１４】
2012120933.tif 000016
【図１５】
2012120933.tif 000017
【図１６】
2012120933.tif 000018
【図１７】
2012120933.tif 000019
【図１８】
2012120933.tif 000020
【図１９】
2012120933.tif 000021
【図２０】
2012120933.tif 000022
【図２１】
2012120933.tif 000023